(57)【要約】【課題】施工作業が容易で、草木類を経由した漏電に起因する獣類忌避機能の低下を回避することができる獣類忌避柵を提供する。【解決手段】獣類忌避柵２０は、土質材、セメント系固化剤、団粒化剤及び水の混練物を地盤１６上に打設し固化させて形成された防草層１７と、防草層１７に所定間隔ごとに立設された複数の支柱２１と、複数の支柱２１の配列に沿って架線状に配線された電線２２，２３と、を備え、電線２２，２３と地面（防草層１７の表面１７ａ）との間に電圧を印可する電源装置２５が設けられている。電線２２，２３は、各支柱２１に取り付けられた複数の絶縁具２４を介して支柱２１に係止され、電源装置２５の片方の電極２５ａと電線２２，２３とが給電線２６で接続され、防草層１７に打ち込まれたアース棒２７と他方の電極２５ｂとがアース線２８で接続されている。【選択図】図１
2011239748.tif 000002
【特許請求の範囲】
【請求項１】
土質材、セメント系固化剤、団粒化剤及び水の混練物を地盤上に打設し固化させて形成された防草層と、前記防草層に所定間隔ごとに立設された複数の支柱と、複数の前記支柱の配列に沿って架線状に配線された電線と、を備えたことを特徴とする獣類忌避柵。
【請求項２】
前記団粒化剤が、アクリル酸・メタクリル酸ジメチルアミノエチル共重合物のマグネシウム塩とポリエチレンイミンとの複合体からなる高分子化合物を含むものであることを特徴とする請求項１記載の獣類忌避柵。
【請求項３】
前記防草層の表面と前記支柱の外周面との隙間を閉塞する防草部材を前記支柱に装着したことを特徴とする請求項１または２記載の獣類忌避柵。
【発明の詳細な説明】
【技術分野】
【０００１】
本発明は、山間地に生息する猪、鹿あるいは熊などの野生の獣類が農地へ侵入したり、牧場の家畜が柵外へ逃げたりするのを防止するために使用される獣類忌避柵に関する。
【背景技術】
【０００２】
山間地に生息する野生の獣類が農地へ侵入するのを防止する手段としては、一般に電気柵が使用されている（例えば、特許文献１参照。）。特許文献１などに記載されている従来の電気柵は、所定間隔ごとに地面に立設された複数の支柱と、これらの支柱に対して架線状に配線された電線と、電線と地面との間に電圧を印加する電源装置と、を備えたものが代表的である。このような電気柵によって区画された農地へ侵入しようとした獣類が電線に触れると、獣類の身体に衝撃電流が流れるので、獣類は電気ショックを受けて農地への侵入を諦める。
【０００３】
しかしながら、従来の電気柵が設けられた農地などにおいて、架線状に配線された電線の下方の地面から生長した草木類の一部が電線に接触すると、草木類を通じて電線から地面に漏電が生じるので、獣類が電線に触れたときに流れる衝撃電流が弱まり、獣類忌避機能が低下するという問題がある。
【０００４】
そこで、このような問題を解決するため、電気柵を構成する電線の下方の地面に敷設して草木類の生長を抑制することのできる電気柵用防草シートが提案されている（例えば、特許文献２参照。）。
【先行技術文献】
【特許文献】
【０００５】
【特許文献１】特開２００２−２７２３５５号公報
【特許文献２】特開２００５−８７０３２号公報
【発明の概要】
【発明が解決しようとする課題】
【０００６】
特許文献２記載の電気柵用防草シートを、電気柵を構成する電線の下方の地面に敷設すれば、草木類の生長が抑制されるので、草木類を経由した漏電に起因する獣類忌避機能の低下を防止することができるが、複数の支柱の配列に沿って配線された電線の配線経路と同様の平面視形状を描くように電気柵用防草シートを敷設しなければならないので、施工作業が面倒である。特に、電線の配線経路に変曲点が多い場合、施工作業に多大な手間を要する。
【０００７】
また、前記電気柵用防草シートは、施工後の風雨などによって周縁部分が捲れたり、獣類によって食いちぎられたりして、防草領域が狭まることがある。また、施工後、長期間にわたって太陽光線を浴びたり、気温変化を受けたりすることによってシートの材質や強度が劣化し、防草作用そのものが低下することもある。
【０００８】
本発明が解決しようとする課題は、施工作業が容易で、草木類を経由した漏電に起因する獣類忌避機能の低下を回避することができる獣類忌避柵を提供することにある。
【課題を解決するための手段】
【０００９】
本発明の獣類忌避柵は、土質材、セメント系固化剤、団粒化剤及び水の混練物を地盤上に打設し固化させて形成された防草層と、前記防草層に所定間隔ごとに立設された複数の支柱と、複数の前記支柱の配列に沿って架線状に配線された電線と、を備えたことを特徴とする。
【００１０】
このような構成とすれば、セメント系固化剤の作用によって固化した防草層はアスファルト舗装程度に硬いので、その表面に草木類の種子が飛来しても活着し難く、地盤中に存在する草木類種子の発芽も地盤上に形成された硬質の防草層によって遮られるので、電線下方における草木類の生長が排除される結果、草木類を経由した漏電に起因する獣類忌避機能の低下を回避することができる。
【００１１】
また、前記混練物を打設した直後で固化前の防草層中においては、団粒化剤に含まれるイオンの作用により土質材とセメント系固化剤の粒子とが立体的な団粒構造を形成し、この団粒構造中に連続した空隙が発生するため、固化後の防草層は透水性と保水性とをバランス良く兼備し、通気性も良好となる。従って、防草層の下方の地盤中の生物や細菌類に悪影響を及ぼすことがなく、周囲の自然環境との調和を図ることができる。
【００１２】
さらに、土質材、セメント系固化剤、団粒化剤及び水を混ぜ合わせた混練物を地盤上に打設して形成した防草層に複数の支柱を所定間隔ごとに立設し、これらの支柱の配列に沿って電線を架線状に配線するだけで、獣類忌避柵を形成することができるので、施工作業が容易である。また、固化後の防草層から有害物質が溶出することがなく、合成樹脂製のシートやマットなども使用しないので、周囲の土壌や獣類への悪影響もない。
【００１３】
ここで、前記団粒化剤が、アクリル酸・メタクリル酸ジメチルアミノエチル共重合物のマグネシウム塩とポリエチレンイミンとの複合体からなる高分子化合物を含むものであることが望ましい。このような団粒化剤を使用すれば、防草層中に強固な団粒構造が形成されるので、透水性と保水性とをバランス良く兼備し、通気性も良好であって、強度と耐久性に優れた防草層を形成することができる。
【００１４】
一方、前記防草層の表面と前記支柱の外周面との隙間を閉塞する防草部材を前記支柱に装着することもできる。このような構成とすれば、防草層内に位置する支柱の外周面と当該防草層との隙間を経由して草木類が生長してくるのを防止することができるため、草木類を経由した漏電防止に有効である。
【発明の効果】
【００１５】
本発明により、施工作業が容易で、草木類を経由した漏電に起因する獣類忌避機能の低下を回避することができる獣類忌避柵を提供することができる。
【図面の簡単な説明】
【００１６】
【図１】本発明の実施形態である獣類忌避柵を示す垂直断面図である。
【図２】図１に示す獣類忌避柵を構成する防草層の素材である混練物の製造工程を示す図である。
【図３】図１に示す獣類忌避柵の施工手順を示す工程図である。
【発明を実施するための形態】
【００１７】
図１に示すように、獣類忌避柵２０は、後述する土質材１０、セメント系固化剤１１、団粒化剤１４及び水の混練物１５を地盤１６上に打設し固化させて形成された防草層１７と、防草層１７に所定間隔ごとに立設された複数の支柱２１と、複数の支柱２１の配列に沿って架線状に配線された電線２２，２３と、を備え、電線２２，２３と地面（防草層１７の表面１７ａ）との間に電圧を印可する電源装置２５が設けられている。
【００１８】
電線２２，２３は、各支柱２１に取り付けられた複数の絶縁具２４を介して支柱２１に係止され、電源装置２５の片方の電極２５ａと電線２２，２３とが給電線２６で接続され、防草層１７に打ち込まれたアース棒２７と他方の電極２５ｂとがアース線２８で接続されている。アース棒２７は防草層１７を貫通して、その先端２７ａが地盤１６中に至る深さまで打ち込まれている。
【００１９】
また、防草層１７内に位置する支柱２１の外周面と当該防草層１７との隙間を経由して草木類が生長してくるのを防止するため、防草層１７の表面１７ａと支柱２１の外周面との隙間を閉塞する略円板形状の防草部材２９が各支柱２１に装着されている。防草部材２９の中心には、支柱２１が挿通される貫通孔２９ａが開設され、この貫通孔２９ａから外周縁に向かって下り勾配をなす円錐面２９ｂが形成されている。防草部材２９の素材は限定しないが、天然ゴム、合成ゴムあるいはその他の合成樹脂など耐食性、耐候性に優れた素材で形成することが望ましい。
【００２０】
ここで、図２，図３に基づいて、獣類忌避柵２０の施工手順について説明する。図２に示すように、土質材１０及びセメント系固化剤１１をミキサ１２に投入して、十分に撹拌、混合する。ミキサ１２はモータ１３などを動力源とする撹拌混合機能を有するものを用いることができる。土質材１０としては、真砂土、シラス、焼却灰あるいは当該獣類忌避柵２０の施工予定現場から採取した土砂などを使用することができる。なお、土質材１０の代わりに、若しくは土質材１０と併せて、瓦の廃材、ガラスの廃材あるいは溶融スラグの粉砕物を使用することもできる。
【００２１】
土質材１０とセメント系固化剤１１とが均一に混合されたら、アクリル酸・メタクリル酸ジメチルアミノエチル共重合物のマグネシウム塩とポリエチレンイミンとの複合体からなる高分子化合物を含む団粒化剤１４及び水を添加し、さらに撹拌、混練することによって混練物１５を形成する。なお、撹拌混合手段は限定しないので、前述したミキサ１２の代わりにバックホウを用いて混合することもできる。
【００２２】
本実施形態において、混練物１５を構成する各成分の混合比率は次の通りであるが、これに限定するものではない。
土質材１０：１０００ｋｇ〜１５００ｋｇ
セメント系固化剤１１：１００ｋｇ〜２００ｋｇ
団粒化剤１４：１リットル〜１０リットル
水：適量（混練物１５の流動性や固さなどを確認しながら添加量を調整する。）
【００２３】
次に、図２に示す混練工程で得られた混練物１５を、図３（ａ）に示すように、獣類忌避柵２０の施工予定現場である地盤１６上に打設して防草層１７を形成する。この後、防草層１７が固化する前に、図３（ｂ）に示すように、防草層１７の表面１７ａから地盤１６に向かって複数の支柱２１を所定間隔ごとに打ち込んでいく。この場合、複数の支柱２１は防草層１７を貫通して、その先端２１ａが地盤１６中に至る深さまで打ち込むことが望ましい。また、アース棒２７（図１参照）も防草層１７が固化する前に打ち込むことが望ましい。なお、複数の支柱２１の立設間隔は図１に示す形態に限定しないので、獣類忌避柵２０の設置現場の地形状況や忌避すべき獣類の種類などに応じて任意に設定することができる。
【００２４】
図３（ｂ）に示すように、支柱２１は予め防草部材２９を装着した状態で防草層１７に打ち込まれるが、図１に示すように、防草部材２９の貫通孔２９ａと外周縁との間に、開閉可能な切り込み２９ｃを開設しておけば、防草層１７に立設した後の支柱２１に防草部材２９を装着することも可能である。なお、草木類の生長防止を徹底するため、施工後、支柱２１の外周面と貫通孔２９ａと隙間及び切り込み２９ｃを接着剤や充填剤などで閉塞することもできる。
【００２５】
支柱２１の打ち込みが完了した後、１５時間程度養生することにより、防草層１７が十分に固化したら、図３（ｃ）に示すように、複数の支柱２１の配列に沿って電線２２，２３を配線していく。電線２２，２３の配線が完了したら、図１に示すように、電源装置２５の一方の電極２５ａと電線２２，２３とを給電線２６で接続し、他方の電極２５ｂとアース棒２７とをアース線２８で接続すると、獣類忌避柵２０が完成する。
【００２６】
図２に示すセメント系固化剤１１の作用によって固化した防草層１７はアスファルト舗装程度に硬いので、その表面１７ａに草木類の種子が飛来しても活着し難く、地盤１６中に存在する草木類種子の発芽も地盤１６上に形成された硬質の防草層１７によって遮られるので、電線２２，２３下方における草木類の生長が排除される結果、草木類を経由した漏電に起因する獣類忌避機能の低下を回避することができる。
【００２７】
また、図３（ａ）に示す混練物１５を打設した直後で固化前の防草層１７中においては、団粒化剤１４（図２参照）に含まれるイオンの作用により土質材１０とセメント系固化剤１１の粒子とが立体的な団粒構造を形成し、この団粒構造中に連続した空隙が発生するため、固化後の防草層１７は透水性と保水性とをバランス良く兼備し、通気性も良好となる。従って、防草層１７の下方の地盤１６中の生物や細菌類に悪影響を及ぼすことがなく、周囲の自然環境との調和を図ることができる。また、防草層１７の保水性によりアース棒２７から防草層１７へのアース効果を良好に維持することができる。
【００２８】
さらに、土質材１０、セメント系固化剤１１、団粒化剤１４及び水を混ぜ合わせた混練物１５を地盤１６上に打設して形成した防草層１７に複数の支柱２１を所定間隔ごとに立設し、これらの支柱２１の配列に沿って電線２２，２３を架線状に配線するだけで、獣類忌避柵２０を形成することができるので、施工作業は容易である。また、固化後の防草層１７から有害物質が溶出することがなく、合成樹脂製のシートやマットなども使用しないので、周囲の土壌や獣類への悪影響もない。
【００２９】
一方、団粒化剤１４として、アクリル酸・メタクリル酸ジメチルアミノエチル共重合物のマグネシウム塩とポリエチレンイミンとの複合体からなる高分子化合物を含むものを使用したことにより、前述したように、防草層１７中に強固な団粒構造が形成されるので、透水性と保水性とをバランス良く兼備し、通気性が良好であり、強度と耐久性に優れた防草層１７を形成することができる。
【産業上の利用可能性】
【００３０】
本発明の獣類忌避柵は、山間地に生息する猪、鹿あるいは熊などの野生の獣類が農地へ侵入したり、牧場の家畜が柵外へ逃げたりするのを防止する手段として広く利用することができる。
【符号の説明】
【００３１】
１０  土質材
１１  セメント系固化剤
１２  ミキサ
１３  モータ
１４  団粒化剤
１５  混練物
１６  地盤
１７  防草層
１７ａ  表面
２０  獣類忌避柵
２１  支柱
２１ａ，２７ａ  先端部
２２，２３  電線
２４  絶縁具
２５  電源装置
２５ａ，２５ｂ  電極
２６  給電線
２７  アース棒
２８  アース線
２９  防草具
２９ａ  貫通孔
２９ｂ  円錐面
２９ｃ  切り込み
【図１】
2011239748.tif 000003
【図２】
2011239748.tif 000004
【図３】
2011239748.tif 000005